(57)【要約】【課題】  消音演奏モード時に、通常演奏モード時とほとんど変わらない鍵のタッチ感とアクションの動作が得られ、ジャックの離脱時におけるハンマーヘッドと弦との距離を拡大することで、止音を余裕を持って確実に行えるグランド型ピアノを提供する。【解決手段】  本発明のグランド型ピアノは、上下方向に移動自在のウィッペンフレンジ１５と、ウィッペンフレンジ１５に回動自在に支持され、鍵２に載置されたウィッペン１１と、後ろ下がりに傾斜し、シャンクローラ３ｃを介してハンマーシャンク３ａを載置するレペティションレバー１２と、シャンクローラ３ｃを介してハンマー３を突き上げ、その回動の途中でハンマー３から離脱するジャック１３と、消音演奏モード時に、ハンマーシャンク３ａを当接させ、ハンマーヘッド３ｂによる打弦を阻止する止音レール５と、消音演奏モード時に、ウィッペンフレンジ１５を上方に移動させる駆動装置２０と、を備える。【選択図】  図３
2009251054.tif 000002
【特許請求の範囲】
【請求項１】
前後方向に張られた弦の打弦を許容する通常演奏モードと、前記弦の打弦を阻止する消音演奏モードに切り替えて演奏されるグランド型ピアノであって、
前後方向に延びる揺動自在の鍵と、
前後方向に延びるハンマーシャンクの後端部にハンマーヘッドを有し、前部の下面にシャンクローラを有するとともに、前記ハンマーシャンクの前端部を中心として回動自在のハンマーと、
少なくとも上下方向に移動自在のウィッペンフレンジと、
後端部において前記ウィッペンフレンジに回動自在に支持されるとともに、中央部において前記鍵に載置されたウィッペンと、
前記ウィッペンに回動自在に取り付けられ、後ろ下がりに傾斜した状態で前後方向に延び、前記シャンクローラを介して前記ハンマーシャンクを載置するレペティションレバーと、
前記ウィッペンに回動自在に取り付けられ、前記シャンクローラを介して、前記ハンマーを突き上げ、回動させるとともに、その回動の途中で前記ハンマーから離脱するジャックと、
前記弦と前記ハンマーシャンクの間に進退自在に設けられ、前記消音演奏モード時に、回動する前記ハンマーの前記ハンマーシャンクが当接することによって、前記ハンマーヘッドによる打弦を阻止する止音レールと、
前記消音演奏モード時に、前記ウィッペンフレンジを上方に移動させる駆動装置と、
を備えていることを特徴とするグランド型ピアノ。
【請求項２】
複数の前記ウィッペンフレンジを左右方向に並んだ状態で保持するとともに、少なくとも上下方向に移動自在に設けられたウィッペンレールをさらに備え、
前記駆動装置は、前記消音演奏モード時に、前記ウィッペンレールを上方に駆動することにより、前記複数のウィッペンフレンジを上方に移動させることを特徴とする、請求項１に記載のグランド型ピアノ。
【請求項３】
前記ウィッペンフレンジは、上下方向および前後方向に移動自在に構成されており、
前記駆動装置は、前記消音演奏モード時に、前記ウィッペンフレンジを上方および前方に移動させることを特徴とする、請求項１に記載のグランド型ピアノ。
【請求項４】
複数の前記ウィッペンフレンジを左右方向に並んだ状態で保持するとともに、上下方向および前後方向に移動自在に設けられたウィッペンレールをさらに備え、
前記駆動装置は、前記消音演奏モード時に、前記ウィッペンレールを上方および前方に駆動することにより、前記複数のウィッペンフレンジを上方および前方に移動させることを特徴とする、請求項３に記載のグランド型ピアノ。
【発明の詳細な説明】
【技術分野】
【０００１】
本発明は、弦の打弦を許容する通常演奏モードと、弦の打弦を阻止する消音演奏モードに切り替えて演奏されるグランド型ピアノに関する。
【背景技術】
【０００２】
従来のこの種のグランド型ピアノとして、例えば特許文献１に開示されたものが知られている。このグランド型ピアノ（以下、単に「ピアノ」という）は、水平に張られた弦と、後端部を中心として回動自在に設けられ、鍵にキャプスタンを介して載置されたウィッペンと、ウィッペンに取り付けられ、後ろ下がりに傾斜するレペティションレバーと、ハンマーシャンクの前端部を中心として回動自在で、後端部にハンマーヘッドを有するとともに、ハンマーシャンクの下面に設けられたシャンクローラを介してレペティションレバーに載置されたハンマーと、ウィッペンに回動自在に取り付けられ、鍵の押鍵に伴い、シャンクローラを介してハンマーを突き上げ、回動させるとともに、その回動の途中でハンマーから離脱するジャックと、弦とハンマーシャンクの間に進退自在に設けられた止音レールなどを備えている。
【０００３】
止音レールは、消音演奏モード時に、弦とハンマーシャンクの間に進入し、押鍵に伴って回動するハンマーのハンマーシャンクが当接することにより、ハンマーの打弦動作を阻止する。このような止音レールによるハンマーの阻止動作は、ハンマーシャンクが止音レールに当接したときの衝撃が演奏者の指先に伝わらないようにするために、ジャックがハンマーから離脱した後に行うことが必要である。
【０００４】
このため、この従来のピアノでは、ウィッペンが前後方向に移動自在に設けられており、消音演奏モード時に、前方に所定距離、駆動される。これに伴い、ウィッペンに取り付けた後ろ下がりのレペティションレバーが前方に移動するのに応じて、これに載置されたシャンクローラの位置が下がる。その結果、ハンマーシャンクの傾斜角度が大きくなり、離鍵状態でのハンマーヘッドの位置が下がることによって、ジャックの離脱時における弦とハンマーヘッドとの間の距離を、通常演奏モード時よりも大きくすることで、止音レールによる止音が確実に行われる。
【０００５】
しかし、上述したようにウィッペンを前方に単純に移動させると、これに取り付けたジャックおよびレペティションレバーもまた、同じ距離だけ前方に移動するので、これらの部品と他の部品との前後方向の位置関係がずれてしまい、それによる不具合が生じるとともに、場合によってはその調整が必要になる。例えば、ウィッペンの前方への移動に伴い、キャプスタンとの当接点からウィッペンの支点までの距離が短くなるので、鍵の静荷重が大きくなり、鍵のタッチは重くなる。また、ジャックの前方への移動に伴い、その先端部がシャンクローラに対して前方にずれるのに応じて、ジャックがシャンクローラから離脱するタイミング（レットオフのタイミング）もずれるため、鍵のタッチ感が通常演奏モード時と大きく異なってしまう。また、ジャックの先端部がシャンクローラに対して前方にずれることによって、ジャックによるシャンクローラの突上げを良好に行うことができず、押鍵エネルギがハンマーに十分に伝達されないことで、ピアノの音量が不足するおそれもある。
【０００６】
本発明は、このような課題を解決するためになされたものであり、消音演奏モード時に、通常演奏モード時とほとんど変わらない鍵のタッチ感とアクションの動作が得られるとともに、ジャックの離脱時におけるハンマーヘッドと弦との距離を拡大し、それにより、止音を余裕を持って確実に行うことができるグランド型ピアノを提供することを目的とする。
【０００７】
【特許文献１】特開平７−２７１３５１号公報
【発明の開示】
【課題を解決するための手段】
【０００８】
この目的を達成するために、本願の請求項１に係る発明は、前後方向に張られた弦の打弦を許容する通常演奏モードと、弦の打弦を阻止する消音演奏モードに切り替えて演奏されるグランド型ピアノであって、前後方向に延びる揺動自在の鍵と、前後方向に延びるハンマーシャンクの後端部にハンマーヘッドを有し、前部の下面にシャンクローラを有するとともに、ハンマーシャンクの前端部を中心として回動自在のハンマーと、少なくとも上下方向に移動自在のウィッペンフレンジと、後端部においてウィッペンフレンジに回動自在に支持されるとともに、中央部において鍵に載置されたウィッペンと、ウィッペンに回動自在に取り付けられ、後ろ下がりに傾斜した状態で前後方向に延び、シャンクローラを介してハンマーシャンクを載置するレペティションレバーと、ウィッペンに回動自在に取り付けられ、シャンクローラを介して、ハンマーを突き上げ、回動させるとともに、その回動の途中でハンマーから離脱するジャックと、弦とハンマーシャンクの間に進退自在に設けられ、消音演奏モード時に、回動するハンマーのハンマーシャンクが当接することによって、ハンマーヘッドによる打弦を阻止する止音レールと、消音演奏モード時に、ウィッペンフレンジを上方に移動させる駆動装置と、を備えていることを特徴とする。
【０００９】
この構成によれば、ウィッペンは、その後端部においてウィッペンフレンジに回動自在に支持され、中央部において鍵に載置されるとともに、これに回動自在に取り付けられたレペティションレバーおよびジャックとともに、アクションを構成している。また、ハンマーは、ハンマーシャンクの前端部を中心として回動自在であるとともに、離鍵状態ではハンマーシャンクは、シャンクローラを介して、後ろ下がりに傾斜したレペティションレバーに載置されている。
【００１０】
この離鍵状態から、鍵が押鍵されると、ウィッペンが上方に回動することにより、ジャックがシャンクローラを介してハンマーを突き上げ、回動させ、その回動の途中でハンマーから離脱する。その後、ハンマーは慣性で回動する。通常演奏モード時には、止音レールが退避していて、ハンマーシャンクが止音レールに当接しないことで、ハンマーの回動が許容され、ハンマーヘッドで弦を打弦する。それにより、アコースティックな通常演奏が行われる。一方、消音演奏モード時には、ハンマーシャンクと弦の間に止音レールが進入していることで、ジャックの離脱後にハンマーシャンクが止音レールに当接することによって、ハンマーが停止され、ハンマーヘッドによる打弦が阻止される。
【００１１】
本発明によれば、ウィッペンを支持するウィッペンフレンジが、少なくとも上下方向に移動自在に構成されており、消音演奏モード時に、駆動装置によって上方に駆動される。ウィッペンフレンジが上方に移動すると、ウィッペンの回動中心が同じ距離、上方に移動する一方、ウィッペンは鍵に載置されているため、ウィッペンとこれに取り付けたレペティションレバーおよびジャックを含むアクションが、全体として、ウィッペンの回動中心の回りに鍵側に向かって若干、回転する。
【００１２】
レペティションレバーは、後ろ下がりに傾斜しているため、上記のように回転すると、レペティションレバーに対するシャンクローラの当接位置が後方に移動する。その結果、ハンマーシャンクの傾斜角度が大きくなり、その後端部に設けられたハンマーヘッドの高さが低くなる。このように、離鍵状態におけるハンマーヘッドの高さ、すなわちハンマーが回動する際のハンマーヘッドの初期位置が低くなるので、ジャックの離脱時におけるハンマーヘッドと弦との距離が拡大する。したがって、ジャックの離脱後に、止音レールによる止音を、余裕をもって確実に行うことができる。
【００１３】
また、ウィッペン、レペティションレバーおよびジャックを含むアクション全体が、ウィッペンフレンジを中心に若干、回動するだけなので、これらのアクションの構成部品と他の構成部品との位置関係は、通常演奏モード時とほとんど変わらない。例えば、ジャックとシャンクローラとの位置関係や鍵に対するウィッペンの当接位置が、前後方向にはほとんど変化しないので、前述した従来の消音ピアノと異なり、通常演奏モード時とほとんど変わらない鍵のタッチ感とアクションの動作を得ることができる。
【００１４】
請求項２に係る発明は、請求項１に記載のグランド型ピアノにおいて、複数のウィッペンフレンジを左右方向に並んだ状態で保持するとともに、少なくとも上下方向に移動自在に設けられたウィッペンレールをさらに備え、駆動装置は、消音演奏モード時に、ウィッペンレールを上方に駆動することにより、複数のウィッペンフレンジを上方に移動させることを特徴とする。
【００１５】
この構成によれば、複数のウィッペンフレンジがウィッペンレールに左右方向に並んだ状態で保持されており、ウィッペンレールは、少なくとも上下方向に移動自在に設けられている。消音演奏モード時には、駆動装置により、ウィッペンレールを上方に駆動することによって、複数のウィッペンフレンジが上方に移動する。これにより、上述した請求項１の作用が得られる。また、ウィッペンレールを移動させることによって、複数のウィッペンフレンジを同時に移動させるので、これらのウィッペンフレンジの移動をばらつきなく効果的に行えるとともに、駆動装置の構成を単純化することができる。
【００１６】
請求項３に係る発明は、請求項１に記載のグランド型ピアノにおいて、ウィッペンフレンジは、上下方向および前後方向に移動自在に構成されており、駆動装置は、消音演奏モード時に、ウィッペンフレンジを上方および前方に移動させることを特徴とする。
【００１７】
請求項１に係る発明のようにウィッペンフレンジを上方に移動させた場合には、それに伴い、アクション全体がウィッペンフレンジを中心として鍵側に向かって回転することによって、鍵に対するウィッペンの当接位置が後方に若干ずれる。本発明によれば、消音演奏モード時に、ウィッペンフレンジを上方に移動させるのと同時に前方にも移動させるので、ウィッペンフレンジの上方への移動に伴う、鍵に対するウィッペンの当接位置の後方へのずれが相殺される。その結果、鍵の静荷重が維持されることで、通常演奏モード時とほぼ同じ鍵のタッチ感を得ることができる。
【００１８】
請求項４に係る発明は、請求項３に記載のグランド型ピアノにおいて、複数のウィッペンフレンジを左右方向に並んだ状態で保持するとともに、上下方向および前後方向に移動自在に設けられたウィッペンレールをさらに備え、駆動装置は、消音演奏モード時に、ウィッペンレールを上方および前方に駆動することにより、複数のウィッペンフレンジを上方および前方に移動させることを特徴とする。
【００１９】
この構成によれば、消音演奏モード時には、駆動装置により、ウィッペンレールを上方および前方に駆動することによって、複数のウィッペンフレンジが上方および前方に移動する。これにより、上述した請求項３の作用が得られる。また、ウィッペンフレンジの移動をばらつきなく効果的に行えるとともに、駆動装置の構成を単純化できるなど、請求項２と同様の作用を得ることができる。
【発明を実施するための最良の形態】
【００２０】
以下、図面を参照しながら、本発明の好ましい実施形態を詳細に説明する。図１は、本発明を適用したグランド型の消音ピアノ１の鍵盤装置を示している。なお、以下の説明では、消音ピアノ１を演奏者から見たときの手前側（同図の右側）を「前」、奥側（同図の左側）を「後」として説明を行うものとする。
【００２１】
図１に示すように、この消音ピアノ１は、前後方向に張られた弦Ｓと、複数（例えば８８個）の鍵２（１つのみ図示）と、鍵２ごとに設けられ、押鍵時に回動し、弦Ｓを打弦するためのハンマー３と、鍵２の後部の上側に設けられ、押鍵に伴って作動し、ハンマー３を回動させるアクション４と、ハンマー３による打弦を許容・阻止する止音レール５などを備えている。この消音ピアノ１では、演奏モードが、ハンマー３による打弦により、アコースティックな演奏音を発生させる通常演奏モードと、ハンマー３による打弦を阻止し、電子的な演奏音を発生させる消音演奏モードに切り替えられる。
【００２２】
鍵２は、前後方向に延びており、その中央に形成されたバランス孔を介して、バランスピン（いずれも図示せず）に回動自在に支持されている。
【００２３】
ハンマー３は、前後方向に延びるハンマーシャンク３ａと、その後端部に取り付けられたハンマーヘッド３ｂなどで構成されており、ハンマーシャンク３ａの前端部において、ハンマーシャンクフレンジ６に、センターピン７を介して回動自在に支持されている。また、ハンマーシャンク３ａの前部の下面には、シャンクローラ３ｃが固定されている。シャンクローラ３ｃは、例えば、内側のクロスとその外側に巻いたスキンから円柱状に形成されている。
【００２４】
ハンマーシャンクフレンジ６は、ハンマー３ごとに設けられており、左右方向に並んだ状態で、ハンマーシャンクレール８の上面に固定されている。ハンマーシャンクレール８は、複数のブラケット９（図１に１つのみ図示）に渡され、固定されており、左右方向に延びている。これらのブラケット９は、棚板上の筬（いずれも図示せず）の左右の端部とその中間に設けられている。また、ハンマーシャンクフレンジ６の後端部には、下方に突出するドロップスクリュー１０が設けられている。
【００２５】
アクション４は、ウィッペン１１と、ウィッペン１１に取り付けられたレペティションレバー１２およびジャック１３などで構成されている。
【００２６】
ウィッペン１１は、その後端部において、ウィッペンレール１４に固定されたウィッペンフレンジ１５に、センターピン１５ａを介して回動自在に支持されており、前後方向に延びている。ウィッペン１１の中央には、下方に突出するヒール部１１ａと、上方に延びるレバー取付部１１ｂが設けられている。ウィッペン１１は、ヒール部１１ａを介して、鍵２の後部に設けられたキャプスタン１６に載置されている。
【００２７】
レペティションレバー１２は、前後方向に延びており、その中央部において、ウィッペン１１のレバー取付部１１ｂに、回動自在に取り付けられている。レペティションレバー１２は、レペティションスプリング１７によって、図１の反時計方向に付勢されるとともに、後端部に取り付けたレバーボタン１２ａを介して、ウィッペン１１の上面に当接しており、それにより、後ろ下がりに傾斜した状態に保持されている。
【００２８】
レペティションレバー１２の前端部は、ハンマーシャンクフレンジ６に設けたドロップスクリュー１０に、上下方向に所定間隔を隔てた状態で対向している。また、レペティションレバー１２の前部には、上下方向に貫通するジャック案内孔１２ｂが形成されるとともに、このジャック案内孔１２ｂの一部を塞いだ状態で、ハンマー３のシャンクローラ３ｃが載置されている。
【００２９】
ジャック１３は、上下方向に延びる突上げ部１３ａと、その下端部の角部から前方に延びる当接部１３ｂから、Ｌ字状に形成されている。ジャック１３は、その角部において、ウィッペン１１に回動自在に取り付けられている。突上げ部１３ａの上端部は、レペティションレバー１２のジャック案内孔１２ｂに挿入され、シャンクローラ３ｃとわずかな間隔を隔てた状態で対向している。また、ジャック１３の当接部１３ｂは、レギュレーティングボタン１８に、所定間隔を隔てた状態で下方から対向している。このレギュレーティングボタン１８は、ジャック１３ごとに設けられており、複数のブラケット９に渡され、固定されたレギュレティングレール１９に取り付けられている。
【００３０】
止音レール５は、弦Ｓとハンマーシャンク３ａの間に配置され、左右方向に延びており、支点５ａを中心として回動自在に設けられている。止音レール５の先端部には、フェルトなどから成るクッション５ｂが設けられている。また、止音レール５は、棚板の下面に設けられた操作レバーに、ワイヤ（いずれも図示せず）などを介して連結されている。以上の構成により、止音レール５は、操作レバーの操作状態に応じて、ハンマーシャンク３ａの回動範囲に進入する進入位置（実線位置）と、ハンマーシャンク３ａの回動範囲から退避する退避位置（２点鎖線位置）に移動する。
【００３１】
次に、本発明に係る、ウィッペンフレンジ１５を移動させるための駆動装置２０について説明する。この駆動装置２０は、前記ウィッペンレール１４と、ウィッペンレール１４を駆動する前後一対のカム２１、２１（図２参照）と、ウィッペンレール１４を付勢するコイルばね２２などで構成されている。
【００３２】
ウィッペンレール１４は、左右方向に延びており、消音ピアノ１のすべてのウィッペンフレンジ１５が取り付けられている。ウィッペンレール１４は、通常と同様、Ｕ字状の断面を有するとともに、底部の下面には、左右方向に連続する突起１４ａが設けられている。また、ウィッペンレール１４の底部には、左右方向に間隔を隔てて複数のねじ挿入孔１４ｂ（１つのみ図示）が形成されている。
【００３３】
ウィッペンレール１４は、その突起１４ａが、各ブラケット９の上面に形成された切欠９ａに前後方向に若干の遊びをもって係合した状態で、ブラケット９に載置されるとともに、各ねじ挿入孔１４ｂに通したねじ２３をブラケット９にねじ込むことによって、取り付けられている。コイルばね２２は、ねじ２３の頭部とブラケット９の上面との間に介在している。以上の構成から、ウィッペンレール１４は、コイルばね２２の圧縮量の範囲内において、上方に移動することが可能である。
【００３４】
一対のカム２１、２１は、ブラケット９に対して左右方向にずれた位置において、ウィッペンレール１４の下側に配置されており、その下面に当接している。各カム２１は軸２４と一体に設けられており、これらの軸２４、２４は、前述した棚板下の操作レバーに、ワイヤなどを介して連結されている。
【００３５】
以上の構成により、操作レバーを操作していない状態では、各カム２１は前後方向に長い水平位置（２点鎖線位置）に位置しており、それに応じて、カム２１に載置されたウィッペンレール１４およびこれに取り付けたウィッペンフレンジ１５は、より低い所定の通常演奏位置（２点鎖線位置）に位置している。この状態から、操作レバーを操作すると、軸２４およびそれと一体のカム２１が９０度、回転することによって、カム２１は上下方向に長い鉛直位置（実線位置）に移動する。これに伴い、ウィッペンレール１４がコイルばね２２の付勢力に抗して上方に所定距離、駆動されることによって、すべてのウィッペンフレンジ１５が、通常演奏位置よりも高い所定の消音演奏位置（実線位置）に移動する。
【００３６】
次に、図２および図３を参照しながら、上述した構成の消音ピアノ１の動作を説明する。なお、図２は離鍵状態を、図３はジャック１３の離脱時の状態をそれぞれ示し、また、両図の２点鎖線は通常演奏モード時の状態を、実線は消音演奏モード時の状態をそれぞれ示す。また、これらの図では、図示の便宜上、ブラケット９などは省略されている。
【００３７】
通常演奏モードで演奏を行う場合には、２点鎖線で示すように、止音レール５を退避位置に位置させるとともに、カム２１を水平位置に位置させ、ウィッペンフレンジ１５を通常演奏位置に位置させる。図２に示すように、離鍵状態では、ハンマーシャンク３ａはシャンクローラ３ｃを介してレペティションレバー１２に載置されており、後ろ下がりに傾斜している。
【００３８】
この離鍵状態から、鍵２が押鍵されると、ウイッペン１１が、キャプスタン１６を介して突き上げられ、センターピン１５ａを中心として上方に回動する。これに伴い、レペティションレバー１２およびジャック１３がウイッペン１１と一緒に上方に移動し、ジャック１３の突上げ部１３ａが、シャンクローラ３ｃを介してハンマー３を突き上げ、上方に回動させる。その後、ジャック１３の当接部１３ｂがレギュレーティングボタン１８に当接し、ジャック１３の上方への移動が規制されることによって、ジャック１３は、ウイッペン１１に対して時計方向に回動し、シャンクローラ３ｃから離脱する。このときのハンマーヘッド３ｂの位置は、図３に２点鎖線で示され、ハンマーヘッド３ｂと弦Ｓとの距離はＬ１で示される。ジャック１３の離脱後、ハンマー３は慣性で回動する。このとき、止音レール５は退避位置に位置していて、ハンマーシャンク３ａが止音レール１５に当接しないので、ハンマー３の回動が許容され、ハンマーヘッド３ｂで弦Ｓを打弦することによって、アコースティックな通常演奏が行われる。
【００３９】
一方、消音演奏モードで演奏を行う場合には、棚板下の操作レバーを操作することによって、止音レール５を進入位置に移動させるとともに、カム２１を鉛直位置に回転させることにより、ウィッペンレール１４およびウィッペンフレンジ１５を上方の消音演奏位置に移動させる。このようにウィッペンフレンジ１５が上方に移動すると、ウィッペン１１の回動中心（センターピン１５ａ）が同じ距離、上方に移動する一方、ウィッペン１１はキャプスタン１６を介して鍵２に載置されているため、ウィッペン１１、レペティションレバー１２およびジャック１３を含むアクション４が、全体として、図２の２点鎖線位置から実線位置まで、時計方向に若干、回転する。
【００４０】
レペティションレバー１２は、後ろ下がりに傾斜しているため、上記のように回転すると、レペティションレバー１２に対するハンマー３のシャンクローラ３ｃの当接位置が後方に移動する。その結果、離鍵状態において、ハンマーシャンク３ａの傾斜角度が大きくなり、ハンマーヘッド３ｂの高さは低くなる。
【００４１】
この離鍵状態から、鍵２が押鍵されると、アクション４は通常演奏モードと同様に動作し、ジャック１３が、シャンクローラ３ｃを介してハンマー３を突き上げ、回動させるとともに、その回動の途中でシャンクローラ３ｃから離脱する。このときのハンマーヘッド３ｂの位置は、図３に実線で示されており、離鍵状態におけるハンマーヘッド３ｂの高さ、すなわちハンマー３が回動する際のハンマーヘッド３ｂの初期位置が低くなっているため、ハンマーヘッド３ｂと弦Ｓとの距離Ｌ２は、通常演奏モード時の距離Ｌ１よりも大きくなる。その後、慣性で回動するハンマー３のハンマーシャンク３ａが進入位置に位置する止音レール５に当接することによって、ハンマー３の回動が阻止され、ハンマーヘッド３ｂによる弦Ｓの打弦が阻止されることにより、消音演奏が行われる。
【００４２】
以上のように、本実施形態によれば、消音演奏モード時に、ウィッペンフレンジ１５を上方に移動させることによって、離鍵状態におけるハンマーシャンク３ａの傾斜角度を大きくし、ハンマーヘッド３ｂの高さを低くする。それにより、ジャック１３の離脱時におけるハンマーヘッド３ｂと弦Ｓとの間の距離Ｌ２が、通常演奏モード時の距離Ｌ１よりも拡大するので、ジャック１３の離脱後に、止音レール５による止音を、余裕をもって確実に行うことができる。
【００４３】
また、ウィッペンレール１４を移動させることによって、消音ピアノ１のすべてのウィッペンフレンジ１５を同時に移動させるので、これらのウィッペンフレンジ１５の移動をばらつきなく効果的に行えるとともに、駆動装置２０の構成を単純化することができる。特に、本実施形態の駆動装置２０は、グランドピアノに通常、設けられているウィッペンレール１４やこれを固定するためのねじ２３を利用し、一対のカム２１、２１やコイルばね２２を付加しただけのものであるので、非常に単純に構成することができる。
【００４４】
さらに、ウィッペン１１、レペティションレバー１２およびジャック１３を含むアクション４全体が、ウィッペンフレンジ１５を中心に若干、回動するだけなので、これらのアクション４の構成部品と他の構成部品との位置関係は、通常演奏モード時とほとんど変わらない。例えば、ジャック１３とシャンクローラ３ｃとの位置関係や鍵２のキャプスタン１６に対するウィッペン１１のヒール部１１ａの当接位置が、前後方向においてほとんど変化しないので、前述した従来の消音ピアノと異なり、通常演奏モード時とほとんど変わらない鍵２のタッチ感とアクション４の動作を得ることができる。
【００４５】
次に、図４および図５を参照しながら、本発明の第２実施形態について説明する。この第２実施形態は、第１実施形態と比較し、駆動装置２０の前後一対のカム２１、２１のうち、前側のカム２１を省略し、後ろ側のカム２１のみを設けた点が異なるものである。
【００４６】
この構成によれば、消音演奏モード時に、棚板下の操作レバーを操作すると、カム２１が水平位置から鉛直位置に９０度、回転することによって、ウィッペンレール１４が、コイルばね２２の付勢力に抗し、下面の前側の角部１４ｃを中心として、図４の時計方向に所定角度、回転する。これに伴い、ウィッペンフレンジ１５は、上方に移動すると同時に前方にも移動する。
【００４７】
したがって、本実施形態によれば、前述した第１実施形態による効果を同様に得ることができる。また、本実施形態では特に、ウィッペンフレンジ１５を上方に移動させるのと同時に前方にも移動させるので、上方にのみ移動させた場合の、鍵２に対するウィッペン１１の当接位置の後方へのずれが相殺される。その結果、鍵２の静荷重が通常演奏モード時と変わらずに維持されることで、通常演奏モード時とほぼ同じ鍵２のタッチ感を得ることができる。
【００４８】
なお、本発明は、説明した実施形態に限定されることなく、種々の態様で実施できる。例えば、実施形態では、ウィッペンフレンジ１５の駆動装置をカム２１やコイルばね２２などで構成しているが、この駆動装置として、適当な他の任意の構成を採用することができる。また、実施形態では、すべてのウィッペンフレンジ１５を保持する単一のウィッペンレール１４を移動自在に構成しているが、ウィッペンレールの移動量が比較的大きい場合などには、これを前後に分割し、そのうちの前側のものを固定する一方、複数のウィッペンフレンジを保持する後ろ側のもののみを移動自在に構成してもよい。
【００４９】
あるいは、ウィッペンレールを左右方向に分割し、分割されたウィッペンレールをそれぞれ移動自在に構成するとともに、各ウィッペンレールに複数のウィッペンフレンジを保持するようにしてもよい。また、ウィッペンレールを介さずに、ウィッペンフレンジをそれぞれ直接、移動させることも、本発明の範囲内である。その他、本発明の趣旨の範囲内において、細部の構成を変更することが可能である。
【図面の簡単な説明】
【００５０】
【図１】本発明の第１実施形態によるグランド型の消音ピアノの鍵盤装置を示す、一部を破断した側面図である。
【図２】図１の鍵盤装置を、離鍵状態において、通常演奏モードおよび消音演奏モードの双方について同時に示す側面図である。
【図３】図１の鍵盤装置を、ジャックの離脱時の状態において、通常演奏モードおよび消音演奏モードの双方について同時に示す側面図である。
【図４】本発明の第２実施形態によるグランド型の消音ピアノの鍵盤装置を、図２と同様の状態において示す側面図である。
【図５】図４の鍵盤装置を、図２と同様の状態において示す側面図である。
【符号の説明】
【００５１】
１  消音ピアノ（グランド型ピアノ）
２  鍵
３  ハンマー
３ａ  ハンマーシャンク
３ｂ  ハンマーヘッド
３ｃ  シャンクローラ
４  アクション
５  止音レール
１１  ウィッペン
１２  レペティションレバー
１３  ジャック
１４  ウィッペンレール
１５  ウィッペンフレンジ
２０  駆動装置
２１  カム
２２  コイルばね
Ｓ  弦
【図１】
2009251054.tif 000003
【図２】
2009251054.tif 000004
【図３】
2009251054.tif 000005
【図４】
2009251054.tif 000006
【図５】
2009251054.tif 000007